(57)【要約】【課題】給湯中の風呂用伝熱管内の部分沸騰を抑え、異音の発生を防止することを目的としている。【解決手段】風呂用伝熱管１３外郭からバーナー６の燃焼熱により内部の水が部分沸騰することにより発生する気泡を風呂用伝熱管１３に内通させた遮へい筒１９にぶつけることにより、消去又は、細かくして、部分的な沸騰状態を軽減することで、異音の発生を防止するようにしている。【選択図】　図１
2004144448.tif 000002
【特許請求の範囲】
【請求項１】
燃料を燃焼するバーナーと、燃焼室ドラムと吸熱フィンを共有した給湯用伝熱管と風呂用伝熱管を密着させてなる１缶２水路式熱交換器と、前記給湯用伝熱管に接続した給湯用回路と、前記風呂用伝熱管に接続した風呂用循環回路とを備え、前記風呂用伝熱管内の内周に遮へい筒を具備した風呂釜付給湯機。
【請求項２】
遮へい筒は、風呂用伝熱管と対向して設けた２重構造とした請求項１記載の風呂釜付給湯機。
【請求項３】
風呂用伝熱管内の内周に密着させて、遮へい筒を具備した請求項１または２記載の風呂釜付給湯機。
【請求項４】
風呂用伝熱管内の内周に一定の隙間を有して、遮へい筒を具備した請求項１または２記載の風呂釜付給湯機。
【請求項５】
風呂用伝熱管内の内周に密着させると共に、給湯用伝熱管と密着させた場所を開口させるように略Ｃ形状の遮へい筒を具備した請求項１または２記載の風呂釜付給湯機。
【請求項６】
風呂用伝熱管内の内周に、給湯用伝熱管と密着させた場所を開口させると共に風呂用伝熱管内の内周に一定の隙間を有するように略Ｃ形状の遮へい筒を具備した請求項１または２記載の風呂釜付給湯機。
【請求項７】
遮へい筒の外周適所に複数の突起部を設けた請求項４または６記載の風呂釜付給湯機。
【発明の詳細な説明】
【０００１】
【発明の属する技術分野】
本発明は風呂釜付給湯機の１缶２水路式熱交換器の異常音の発生防止に関するものである。
【０００２】
【従来の技術】
従来、この種の気化式石油給湯機は図６に示すようになっており、給水口１より導かれた水は、流量センサー２・給水サーミスター３を介して熱交換器４の給湯用伝熱管５に導かれる。そこで、バーナー６の燃焼熱を水に熱交換されお湯に沸き上がる、沸き上がったお湯は、出湯温度検出器７を介してカラン８等から使用場所に供給される。沸き上がり温度は、出湯温度設定器９より好みの温度に設定する事ができるようになっていて、出湯温度設定器９により設定された温度と、流量センサー２の流量値と、給水サーミスター３の温度情報を制御器１０により演算し、バーナー６の燃焼量値を決定し、燃焼制御を行っていた。又、浴槽１１内の水を沸かす場合は、循環ポンプ１２にて浴槽１１内の水をくみ上げ熱交換器４の風呂用伝熱管１３に導かれる。そこで、バーナー６の燃焼熱を水に熱交換されお湯に沸き上がる。沸き上がり温度は、出湯温度設定器９により好みの温度に設定する事ができる。風呂用循環回路には、風呂温度検出器１４・風呂流量検出器１５が具備されている。
【０００３】
そして、風呂用伝熱管１３は破断面で示すように、１重構造のパイプで形成され、浴槽水が循環するようになっている。
【０００４】
【発明が解決しようとする課題】
しかしながら上記従来の構成では、お風呂を沸かさずに給湯のみをする場合、まず、出湯が開始されると流量センサー２が検知し、バーナー６の燃焼が開始され、あらかじめ設定された出湯温度になるよう燃焼量が調整される。このとき、風呂用循環回路１８の水は止水状態であり、風呂用伝熱管１３は共用の吸熱フィン１７から燃焼の熱を吸熱し高温となるが、一部給湯用伝熱管５へ放出する。しかし、風呂用伝熱管１３は給湯用伝熱管５より高温となるため、風呂用伝熱管１３内の浴槽水は部分沸騰し膨張する。その際、風呂用伝熱管１３・吸熱フィン１７・燃焼室ドラム１６の温度バランスがくずれ、膨張状態のみだれにより歪みが発生し、異音を発するという課題を有していた。
【０００５】
本発明は上記従来の課題を解決するもので、給湯中の風呂用伝熱管内の部分沸騰を抑え温度バランスのくずれを軽減して、異音の発生を防止することを目的としている。
【０００６】
【課題を解決するための手段】
上記課題を解決するため本発明の風呂釜付給湯機は、燃料を燃焼するバーナーと、燃焼室ドラムと吸熱フィンを共有した給湯用伝熱管と風呂用伝熱管を密着させてなる１缶２水路式熱交換器と、前記給湯用伝熱管に接続した給湯用回路と、前記風呂用伝熱管に接続した風呂用循環回路とを備え、前記風呂用伝熱管内の内周に遮へい筒を具備したものである。
【０００７】
上記発明によれば、風呂用伝熱管外郭からバーナーの燃焼熱により内部の水が部分沸騰することにより発生する気泡を遮へい筒にぶつけることにより、消去又は、細かくすることができ、部分的な沸騰状態を軽減し、沸騰することによる風呂用伝熱管・吸熱フィン・燃焼室ドラムの温度バランスのくずれを防止することができるため、膨張状態のみだれによる歪みの発生を抑えることで、異音の発生を防止することができる。
【０００８】
【発明の実施の形態】
本願の請求項１に記載の発明は、燃料を燃焼するバーナーと、燃焼室ドラムと吸熱フィンを共有した給湯用伝熱管と風呂用伝熱管を密着させてなる１缶２水路式熱交換器と、前記給湯用伝熱管に接続した給湯用回路と、前記風呂用伝熱管に接続した風呂用循環回路とを備え、前記風呂用伝熱管内の内周に遮へい筒を具備したものである。
【０００９】
そして、風呂用伝熱管外郭からバーナーの燃焼熱により内部の水が部分沸騰することにより発生する気泡を遮へい筒にぶつけることにより、消去又は、細かくすることができ、部分的な沸騰状態を軽減し、沸騰することによる風呂用伝熱管・吸熱フィン・燃焼室ドラムの温度バランスのくずれを防止すめことができるため、膨張状態のみだれによる歪みの発生を抑えることで、異音の発生を防止することができる。
【００１０】
また、請求項２に記載の発明は、遮へい筒は、風呂用伝熱管と対向して設けた２重構造としたものである。
【００１１】
そして、遮へい筒を風呂用伝熱管と対向して設けた２重構造とすることにより、バーナーの燃焼熱で加熱される風呂用伝熱管の全域で発生する部分沸騰による気泡を均一に吸収することができる。
【００１２】
また、請求項３に記載の発明は、風呂用伝熱管内の内周に密着させて、遮へい筒を具備したものである。
【００１３】
そして、風呂用伝熱管外郭からバーナーの燃焼熱により内部の水が部分沸騰することを遮へい筒により鈍らすことにより、部分的な沸騰状態を防止し、沸騰することによる風呂用伝熱管・吸熱フィン・燃焼室ドラムの温度バランスのくずれを軽減し、膨張状態のみだれによる歪みの発生を抑えることで、異音の発生を防止することができる。
【００１４】
また、請求項４に記載の発明は、風呂用伝熱管内の内周に一定の隙間を有して、遮へい筒を具備したものである。
【００１５】
そして、風呂用伝熱管外郭からバーナーの燃焼熱により内部の水が部分沸騰することにより発生する気泡を遮へい筒にぶつけることにより、消去又は、細かくすることが出来、部分的な沸騰状態を防止し、沸騰することによる風呂用伝熱管・吸熱フィン・燃焼室ドラムの温度バランスのくずれを軽減し、膨張状態のみだれによる歪みの発生を抑えることで、異音の発生を防止することができる。
【００１６】
また、請求項５に記載の発明は、風呂用伝熱管内の内周に密着させると共に、給湯用伝熱管と密着させた場所を開口させるように略Ｃ形状の遮へい筒を具備したものである。
【００１７】
そして、風呂用伝熱管外郭からバーナーの燃焼熱により内部の水が部分沸騰することを遮へい筒により鈍らすことにより、部分的な沸騰状態を防止し、沸騰することによる風呂用伝熱管・吸熱フィン・燃焼室ドラムの温度バランスのくずれを軽減し、膨張状態のみだれによる歪みの発生を抑えることで、異音の発生を防止することができると共に、給湯用伝熱管と密着させた場所を開口させるように略Ｃ形状の遮へい筒形状にしているため、給湯用伝熱管と風呂用伝熱管のそれぞれの熱移動を阻害することがなくなり、給湯効率・風呂効率を損なうことがない。
【００１８】
また、請求項６に記載の発明は、風呂用伝熱管内の内周に、給湯用伝熱管と密着させた場所を開口させると共に風呂用伝熱管内の内周に一定の隙間を有するように略Ｃ形状の遮へい筒を具備したものである。
【００１９】
そして、風呂用伝熱管外郭からバーナーの燃焼熱により内部の水が部分沸騰することにより発生する気泡を遮へい筒にぶつけることにより、消去又は、細かくすることが出来、部分的な沸騰状態を防止し、沸騰することによる風呂用伝熱管・吸熱フィン・燃焼室ドラムの温度バランスのくずれを軽減し、膨張状態のみだれによる歪みの発生を抑えることで、異音の発生を防止することができると共に、給湯用伝熱管と密着させた場所を開口させるように略Ｃ形状の遮へい筒形状にしているため、給湯用伝熱管と風呂用伝熱管のそれぞれの熱移動を阻害することがないので、給湯効率・風呂効率を損なうことがない。
【００２０】
また、請求項７に記載の発明は、遮へい筒の外周適所に複数の突起部を設けたものである。
【００２１】
そして、風呂用伝熱管内周面との間隙を均一に保った状態で遮へい筒を内通させることができるため、風呂用伝熱管内の部分沸騰により発生する気泡を消去、又は細分化でき、異音の発生を防止できる。
【００２２】
【実施例】
以下本発明の一実施例について、図面を参照しながら説明する。図１は本発明の一実施例である風呂釜付給湯機の構成図、図２は同給湯機の要部詳細図を示すものである。
【００２３】
給湯機の全体構成は従来例とほぼ同様であり、給水口１より導かれた水は、流量センサー２・給水サーミスター３をへて熱交換器４の給湯用伝熱管５に導かれる。そこで、バーナー６の燃焼熱を水に熱交換されお湯に沸き上がる、沸き上がったお湯は、出湯温度検出器７をへてカラン８等から使用場所に供給される。沸き上がり温度は、出湯温度設定器９より好みの温度に設定する事ができる。出湯温度設定器９により設定された温度と、流量センサー２の流量値と、給水サーミスター３の温度情報を制御器１０により演算し、バーナー６の燃焼量値を決定し、燃焼制御を行うものであった。又、浴槽１１内の水を沸かす場合は、循環ポンプ１２にて浴槽１１内の水をくみ上げ熱交換器４の風呂用伝熱管１３に導かれる。そこで、バーナー６の燃焼熱を水に熱交換されお湯に沸き上がる。沸き上がり温度は、出湯温度設定器９より好みの温度に設定する事ができる。風呂用循環回路１８には、風呂温度検出器１４・風呂流量検出器１５が具備されている。
【００２４】
熱交換器４に設けた風呂用伝熱管１３の内通部は図２に示すように、風呂用伝熱管１３と対向して遮へい筒１９を設けた２重構造となっている。
【００２５】
この風呂用伝熱管構造により、風呂用伝熱管１３外郭からバーナー６の燃焼熱により加熱されたとき、内部の水が部分沸騰することにより発生する気泡を風呂用伝熱管１３の内通部に設けた遮へい筒１９にぶつけることにより、消去又は、細かくすることができ、部分的な沸騰状態を防止し、沸騰することによる風呂用伝熱管１３・吸熱フィン１７・燃焼室ドラム１６の温度バランスのくずれを軽減し、膨張状態のみだれによる歪みの発生を抑えることで、異音の発生を防止することができる。
【００２６】
図３は、上記風呂用伝熱管１３の内部構造を詳細に示す断面図である。図３（ｂ）は風呂用伝熱管１３と遮へい筒１９の位置関係を風呂用伝熱管１３の内壁面に遮へい筒１９の外壁面を密着させたもので、実質的に風呂用伝熱管１３の熱容量を増大させることになり、バーナ６で加熱されたとき部分沸騰が発生しにくい構造となっている。
【００２７】
図３（ａ）は風呂用伝熱管１３と一定の間隙を有して遮へい筒１９を配設したもので、バーナ６の加熱で部分沸騰が起こり気泡が発生したとき、この気泡を温度の低い遮へい筒１９にぶつけて消去、または細かくすることで、部分沸騰を軽減し、風呂用伝熱管１３・吸熱フィン１７・燃焼室ドラム１６の温度バランスのくずれを防止して、膨張状態のみだれによる歪みの発生を抑えることで、異音の発生を防止するようにしている。
【００２８】
また、図４は風呂用伝熱管１３と遮へい筒１９の別の配設関係を示すもので、図４（ａ）は、風呂用伝熱管１３と給湯用伝熱管５との密着した場所Ａ部を開口させるように略Ｃ形状の遮へい筒１９とし、風呂用伝熱管１３の内壁面と遮へい筒１９の外壁面とを密着させて内通させたものである。
【００２９】
同様に、図４（ｂ）は風呂用伝熱管１３と給湯用伝熱管５との密着した場所Ａ部を開口させるように略Ｃ形状の遮へい筒１９を風呂用伝熱管１３の内壁面に一定の隙間を有して内通させたものである。
【００３０】
上記構成は共に、風呂用伝熱管１３と給湯用伝熱管５の接触部の内周面は開口させた１重構造とし、風呂用伝熱管１３と給湯用伝熱管５が良好に熱伝導するようにしているため、給湯効率、風呂効率を損なうことがなく、また、内通させた略Ｃ形状の遮へい筒１９により部分沸騰による異音の発生も防止できるものである。
【００３１】
また、図５は風呂用伝熱管１３の内壁面に一定の隙間を有して内通させる遮へい筒１９の構造を示したもので、遮へい筒１９の外周に複数の突起部１９ａを設け、この突起部１９ａにより風呂用伝熱管１３の内壁面と均一に一定の間隙を保つようにしたものである。
【００３２】
【発明の効果】
以上のように本発明によれば、風呂用伝熱管外郭からバーナーの燃焼熱により内部の水が部分沸騰することにより発生する気泡を遮へい筒にぶつけることにより、消去又は、細かくすることができ、部分的な沸騰状態を防止し、沸騰することによる風呂用伝熱管・吸熱フィン・燃焼室ドラムの温度バランスのくずれを軽減し、膨張状態のみだれによる歪みの発生を抑えることで、異音の発生を防止することができる。
【図面の簡単な説明】
【図１】本発明の一実施例における風呂釜付給湯機の構成図
【図２】同給湯機の要部詳細図
【図３】（ａ）同給湯機の熱交換器の断面図
（ｂ）同給湯機の熱交換器の別の断面図
【図４】（ａ）同給湯機の熱交換器の別の断面図
（ｂ）同給湯機の熱交換器の別の断面図
【図５】同給湯機の遮へい筒の構造図
【図６】従来例における風呂釜付給湯機の構成図
【符号の説明】
４　熱交換器
５　給湯用伝熱管
６　バーナー
１３　風呂用伝熱管
１６　燃焼室ドラム
１７　吸熱フィン
１９　遮へい筒
【図１】
2004144448.tif 000003
【図２】
2004144448.tif 000004
【図３】
2004144448.tif 000005
【図４】
2004144448.tif 000006
【図５】
2004144448.tif 000007
【図６】
2004144448.tif 000008